(57)【特許請求の範囲】
【請求項１】
基台と、
前記基台の上方において前記基台に向かい合う有底無孔の凹部を有する床材と、
前記基台と前記凹部との間に配置され、前記床材を支持する支持部材と、を備え、
前記支持部材は、ゴム系材料から構成される振動抑制部と、前記ゴム系材料よりも硬質な硬質材料から構成される厚さ調整部との積層構造を有し、
前記凹部は、前記床材の一端から他端にわたって延在し、
前記支持部材の前記厚さ調整部は、前記床材の前記凹部の内奥面に重なるように配置されて前記床材を支持する上部支持面を有し、前記上部支持面により前記凹部の前記内奥面を支持し、前記厚さ調整部の外側面と前記凹部の内側面とは離間していることを特徴とする床構造。
【請求項２】
前記振動抑制部として、前記凹部の内部に位置する上面と前記凹部の内部から突出している下面とを有する振動抑制部を備える請求項１に記載の床構造。
【請求項３】
前記基台は、上下に連通する連通部分を形成する枠構造を備え、
前記床材は、前記連通部分の開口を覆うように配置されている請求項１又は請求項２に記載の床構造。
【請求項４】
前記振動抑制部を構成するゴム系材料のアスカーＡ硬度は、２３℃において３０以上、８０以下の範囲である請求項１から請求項３のいずれか一項に記載の床構造。
【発明の詳細な説明】
【技術分野】
【０００１】
本発明は、床構造に関する。
【背景技術】
【０００２】
従来、コンクリートスラブに緩衝体を介して床部が配列された浮き床構造が知られている（特許文献１参照）。緩衝体を備える浮き床構造は、防音性能や遮音性能を発揮する。
【先行技術文献】
【特許文献】
【０００３】
【特許文献１】特開２００２−２９４９９７号公報
【発明の概要】
【発明が解決しようとする課題】
【０００４】
近年においては、床構造の防音性能や遮音性能等の各種性能の向上が求められている。床構造において、床材の振動及び床材を載置した基台への振動伝達を抑制する場合、ゴム系材料から構成される振動抑制部の厚さ寸法をより大きく設定することで振動抑制部の性能が発揮され易くなる。しかしながら、振動抑制部の厚さ寸法をより大きく設定することは、例えば、建築物の高さ寸法をより大きく設定したり、また、建築物の高さに制限がある場合では床から天井までの高さ寸法をより小さく設定したりすることになる。すなわち、床構造に振動抑制部を設けた場合、振動抑制部の厚さを調整することは困難であった。
【０００５】
本発明は、こうした実情に鑑みてなされたものであり、その目的は、振動抑制部の性能を好適に発揮させることのできる床構造を提供することにある。
【課題を解決するための手段】
【０００６】
上記課題を解決する床構造は、基台と、前記基台の上方において前記基台に向かい合う凹部を有する床材と、前記基台と前記凹部との間に配置され、前記床材を支持する支持部材と、を備え、前記支持部材は、ゴム系材料から構成される振動抑制部と、前記ゴム系材料よりも硬質な硬質材料から構成される厚さ調整部との積層構造を有する。
【０００７】
上記の床構造は、基台と床材の凹部との間のスペースを利用して振動抑制部を配置する構成を有するため、振動抑制部の厚さをより厚く設定したとしても、基台に対して床材の高さ位置を一定に保つことが可能となる。ここで、支持部材における振動抑制部の厚さを過剰に厚くすると、支持部材としての支持機能が低下するおそれがある。この点、上記支持部材は、振動抑制部と、上記硬質材料から構成される厚さ調整部との積層構造を有しているため、振動抑制部の厚さと、厚さ調整部の厚さを調整することで振動抑制部が過剰に厚くなることを抑えることができる。
【０００８】
上記床構造において、前記振動抑制部として、前記凹部の内部に位置する上面と前記凹部の内部から突出している下面とを有する振動抑制部を備えることが好ましい。
例えば、上記のように振動抑制部を構成することによって、振動抑制部の厚さ寸法を確保することができる。
【０００９】
上記床構造において、前記基台は、上下に連通する連通部分を形成する枠構造を備え、
前記床材は、前記連通部分の開口を覆うように配置されていることが好ましい。
この構成によれば、基台の枠構造により形成される連通部分を介して支持部材の配置を確認することができる。
【００１０】
上記床構造において、前記振動抑制部を構成するゴム系材料のアスカーＡ硬度は、２３℃において３０以上、８０以下の範囲であることが好ましい。
この構成によれば、床材から基台への振動伝達を抑制する効果を高めることができる。
【発明の効果】
【００１１】
本発明によれば、振動抑制部の性能を好適に発揮させることができる。
【図面の簡単な説明】
【００１２】
【図１】実施形態の床構造を示す部分正面図である。
【図２】床構造の一部を示す分解斜視図である。
【図３】（ａ）は、床構造の部分平面図であり、（ｂ）は床構造の一部を下方から見た斜視図である。
【図４】（ａ）及び（ｂ）は支持部材の変更例を示す斜視図である。
【発明を実施するための形態】
【００１３】
以下、床構造の実施形態について図面を参照して説明する。
図１及び図２に示すように、床構造１１は、基台２１と、基台２１の上方において基台２１に向かい合う凹部３１ａを有する床材３１と、床材３１を支持する支持部材４１とを備えている。
【００１４】
図３（ａ）に示すように、本実施形態の基台２１は、複数の梁部材２２により構成されている。こうした基台２１は枠構造を備え、この枠構造により上下に連通する連通部分２１ａが形成されている。梁部材２２は、金属製であり、例えばＩ型断面を有している。基台２１は、建築物において二階以上の部屋の床を形成するために設けられている。
【００１５】
図２に示すように、床材３１は、コンクリート製の床本体３２と、床本体３２の下面に積層される金属製のデッキプレート３３とを備えている。床本体３２には、必要に応じて溶接金網又は異形鉄筋等が埋設される。デッキプレート３３は、例えば、ＪＩＳ  Ｇ３３５２に規定されるものが用いられる。
【００１６】
図３（ａ）に示すように、床材３１は、基台２１における連通部分２１ａの開口を覆うように配置されている。このように配置された床材３１の下方には、図３（ｂ）に示すように、空間が形成される。
【００１７】
本実施形態では、複数の床材３１が用いられ、これら複数の床材３１が敷き詰められることで床面が形成される。各床材３１について詳述すると、各床材３１の形状は、平面視で長方形状であり、各床材３１の底面（デッキプレート３３の下面）は、長手方向にわたって延在する一対の凹部３１ａを有している。各凹部３１ａは、互いに平行となるように形成されている。各床材３１における各凹部３１ａの内奥部分の厚さＴ１は、床材３１の厚さＴ２を１００％とした場合、例えば、２０％以上、８０％以下の範囲に設定されている。
【００１８】
図１及び図２に示すように、支持部材４１は、基台２１と、床材３１の凹部３１ａとの間に配置されている。支持部材４１は、ゴム系材料から構成される振動抑制部４２と、ゴム系材料よりも硬質な硬質材料から構成される厚さ調整部４３との積層構造を有している。
【００１９】
支持部材４１は、床材３１における凹部３１ａの内奥面（支持部材４１で支持される被支持面Ｓ１１）に重なるように配置される上部支持面Ｓ１２と、基台２１の上面である基台面Ｓ２１に重なるように配置される下部支持面Ｓ２２とを有している。本実施形態の上部支持面Ｓ１２は、厚さ調整部４３の上面により構成されている。また、本実施形態の下部支持面Ｓ２２は、振動抑制部４２の下面により構成されている。
【００２０】
本実施形態のように、床材３１における凹部３１ａの内奥面がリブＲを有する場合、上部支持面Ｓ１２は、リブＲの両側方に位置する内奥面を被支持面Ｓ１１，Ｓ１１を支持するように離間した一対の上部支持面Ｓ１２，Ｓ１２から構成することが好ましい。なお、厚さ調整部４３の下面Ｓ３１は、振動抑制部４２の上面Ｓ３２に重なるように配置されている。
【００２１】
振動抑制部４２を構成するゴム系材料のアスカーＡ硬度は、２３℃において３０以上、８０以下の範囲であることが好ましく、より好ましくは４０以上、７０以下の範囲であり、さらに好ましくは４５以上、６０以下の範囲である。このアスカーＡ硬度が３０以上、８０以下の範囲の場合、床材３１から基台２１への振動伝達を抑制する効果を高めることができる。このアスカーＡ硬度が４０以上の場合、床材３１の上方から荷重が加わった際に床材３１が沈み込むことを抑えることができる。一方、このアスカーＡ硬度が７０以下の場合、床材３１から基台２１への振動伝達を抑制する効果をさらに高めることができる。ゴム系材料としては、例えば、天然ゴム、ポリイソプレンゴム、スチレン・ブタジエンゴム、ポリブタジエンゴム、ニトリルゴム、ブチルゴム、エチレンプロピレンゴム、ウレタンゴム、及びシリコーンゴムが挙げられる。ゴム系材料は、一種を用いてもよいし、二種以上から構成されていてもよい。ゴム系材料には、フィラー等の補強材や老化防止剤等の添加剤を含有させることもできる。
【００２２】
振動抑制部４２の厚さＴ３は、支持部材４１全体の厚さＴ４を１００％とした場合、１５％以上であることが好ましく、より好ましくは３０％以上である。振動抑制部４２の厚さＴ３を厚くするほど、床材３１から基台２１への振動伝達を抑制する効果を高めることができる。振動抑制部４２の厚さＴ３は、支持部材４１全体の厚さＴ４を１００％とした場合、６０％以下であることが好ましく、より好ましくは５０％以下である。振動抑制部４２の厚さＴ３を薄くするほど、床材３１の上方から荷重が加わった際に床材３１が沈み込むことを抑えることができる。なお、振動抑制部４２の厚さＴ３、及び支持部材４１全体の厚さＴ４は、床材３１を載置する前の荷重を受けていない状態の厚さ寸法をいう。
【００２３】
厚さ調整部４３を構成する硬質材料としては、例えば、樹脂材料、木材、及び木質材料が挙げられる。樹脂材料としては、例えば、ポリ塩化ビニル、ポリエチレン、ポリプロピレン、ポリエステル、ポリスチレン、ポリアミド、及びＡＢＳ樹脂が挙げられる。樹脂材料には、フィラー等の補強材や酸化防止剤等の添加剤を含有させることもできる。
【００２４】
以上のように構成された床構造１１において、床面（床材３１の上面）には図示を省略した床仕上げ材が配置される。床仕上げ材としては、例えば、フローリング、コルク板、タイル、畳、カーペット、樹脂シート材及びゴムシート材が挙げられる。床構造１１の下方には、図示を省略した下層階の天井部材が設けられる。床構造１１は、集合住宅や個人住宅等の多層住宅や各種多層施設に適用される。
【００２５】
次に、床構造１１の主な作用について説明する。
床構造１１は、基台２１と床材３１の凹部３１ａとの間に配置され、床材３１を支持する支持部材４１を備えている。すなわち、床構造１１は、基台２１と床材３１の凹部３１ａとの間のスペースを利用して振動抑制部４２を配置する構成を有するため、振動抑制部４２の厚さをより厚く設定したとしても、基台２１に対して床材３１の高さ位置を一定に保つことが可能となる。ここで、支持部材４１における振動抑制部４２の厚さを過剰に厚くすると、支持部材４１としての支持機能が低下するおそれがある。この点、上記支持部材４１は、振動抑制部４２と、上記硬質材料から構成される厚さ調整部４３との積層構造を有しているため、振動抑制部４２の厚さと、厚さ調整部４３の厚さを調整することで振動抑制部４２が過剰に厚くなることを抑えることができる。
【００２６】
上述した実施形態によって発揮される作用効果について以下に記載する。
（１）床構造１１は、基台２１と、基台２１の上方において基台２１に向かい合う凹部３１ａを有する床材３１と、基台２１と凹部３１ａとの間に配置され、床材３１を支持する支持部材４１とを備えている。支持部材４１は、ゴム系材料から構成される振動抑制部４２と、ゴム系材料よりも硬質な硬質材料から構成される厚さ調整部４３との積層構造を有している。
【００２７】
この構成によれば、上述したように、振動抑制部４２の厚さをより厚く設定したとしても、基台２１に対して床材３１の高さ位置を一定に保つことが可能となり、また、振動抑制部４２が過剰に厚くなることを抑えることができる。従って、振動抑制部４２の性能を好適に発揮させることができる。
【００２８】
（２）本実施形態の振動抑制部４２は、床材３１の凹部３１ａの内部に位置する上面Ｓ３２とその凹部３１ａの内部から突出している下面（下部支持面Ｓ２２）とを有している。例えば、このように振動抑制部４２を構成することによって、振動抑制部４２の厚さ寸法を確保することができる。
【００２９】
（３）本実施形態の基台２１は、上下に連通する連通部分２１ａを形成する枠構造を備えている。また、床材３１は、基台２１における連通部分２１ａの開口を覆うように配置されている。
【００３０】
この場合、基台２１の枠構造により形成される連通部分２１ａを介して支持部材４１の配置を確認することができる。これにより、例えば、支持部材４１の点検等を容易に行うことができる。
【００３１】
基台２１の枠構造の連通部分２１ａによって形成される空間が、床材３１と下階の天井部材とで閉じられている場合に、床材３１の振動によってこの空間の空気が圧縮されて天井部材に伝達する。前述のように閉じられた空間が形成されていたとしても、振動抑制部４２により振動が抑えられる結果、天井部材に振動が伝達することを抑制できる。
【００３２】
（４）床構造１１において、振動抑制部４２を構成するゴム系材料のアスカーＡ硬度は、２３℃において３０以上、８０以下の範囲であることが好ましい。
この場合、床材３１から基台２１への振動伝達を抑制する効果を高めることができる。
【００３３】
（変更例）
上記実施形態を次のように変更して構成してもよい。
・前記基台２１は、枠構造を備えているが、例えば、コンクリートスラブのような平板構造を備える基台２１に変更することもできる。なお、基台２１の枠構造は、格子構造であってもよい。
【００３４】
・前記基台２１を構成する梁部材２２は、金属製であるが、金属以外の材料から構成された梁部材に変更することもできる。
・前記床材３１のデッキプレート３３を省略してもよい。また、前記床材３１のリブＲを省略してもよい。
【００３５】
・前記床材３１は、コンクリート等から構成されているが、例えば木材から構成した床材に変更してもよい。
・前記床材３１の平面形状は、長四角形状に限定されず、例えば、正方形状であってもよい。
【００３６】
・前記床材３１は、その一端から他端にわたって凹部３１ａが延在しているが、例えば、両端部のみに凹部３１ａを有する床材に変更してもよい。
・前記床材３１は、一対の凹部３１ａを有しているが、凹部３１ａの数は単数であってもよいし、複数であってもよい。
【００３７】
・前記床構造１１では、分割された複数の床材３１を有しているが、一体構造の床材に変更することもできる。例えば、基台２１に配置した支持部材４１に複数のデッキプレート３３を支持させた後、そのデッキプレート３３にコンクリートを打設することで一体構造の床材を設置することができる。
【００３８】
・図４（ａ）に示すように、前記振動抑制部４２を下面に突部４２ａを有する振動抑制部４２に変更し、突部４２ａの先端面を下部支持面Ｓ２２として構成してもよい。また、図４（ｂ）に示すように、前記振動抑制部４２を上面及び下面に突部４２ａを有する振動抑制部４２に変更することもできる。振動抑制部４２の突部４２ａの数は、単数であっても複数であってもよい。また、振動抑制部４２の突部４２ａの水平断面形状は、円形状に限定されず、楕円形状や、四角形状等の多角形状等に変更することができる。また、図４（ａ）に示すように、振動抑制部４２の突部４２ａの径寸法は、基端から先端に向かうにつれて異なるように変更することもできる。
【００３９】
・前記振動抑制部４２の下面（下部支持面Ｓ２２）は、床材３１における凹部３１ａの内部から突出しているが、振動抑制部４２の全体を凹部３１ａの内部に配置されるように変更することもできる。
【００４０】
・前記振動抑制部４２と、前記基台２１との間に厚さ調整部４３を配置することもできる。
・前記振動抑制部４２と、前記基台２１との間に粘着層を設けてもよい。また、前記厚さ調整部４３と、前記床材３１との間に粘着層を設けてもよい。
【００４１】
・前記支持部材４１において、振動抑制部４２及び厚さ調整部４３の数は特に限定されない。前記支持部材４１は、例えば、上下一対の振動抑制部４２により厚さ調整部４３を挟み込む積層構造を有する支持部材に変更することもできる。また、前記支持部材４１は、例えば、上下一対の厚さ調整部により振動抑制部４２を挟み込む積層構造を有する支持部材に変更することもできる。
【００４２】
・前記基台２１と、前記床材３１の下面の凸部分との間に例えば、ゴム部材等を配置してもよい。
・前記基台２１と、前記床材３１の一部が接触していてもよいが、上記実施形態のように基台２１と床材３１とは離間していることが好ましい。
【００４３】
上記実施形態及び変更例から把握できる技術的思想について以下に記載する。
（イ）前記床構造において、前記床材は、コンクリート製の床本体と、前記床本体の下面に積層される金属製のデッキプレートとを備える床構造。
【００４４】
（ロ）前記床構造において、前記基台と前記床材とは非接触となるように配置される床構造。
（ハ）前記床構造において、前記振動抑制部は、前記基台に接触している床構造。
【００４５】
（ニ）前記床構造において、前記床材を複数配置して構成され、前記複数の床材が前記支持部材により支持されている床構造。
（ホ）前記床構造において、前記凹部は、前記床材の一端から他端にわたって延在し、前記凹部の両端部分が前記支持部材により支持されている床構造。
【００４６】
（ヘ）前記床構造において、前記基台は、格子構造を有する床構造。
【符号の説明】
【００４７】
１１…床構造、２１…基台、２１ａ…連通部分、２２…梁部材、３１…床材、３１ａ…凹部、３２…床本体、３３…デッキプレート、４１…支持部材、４２…振動抑制部、４２ａ…突部、４３…厚さ調整部、Ｒ…リブ、Ｔ１〜Ｔ４…厚さ、Ｓ１１…被支持面、Ｓ１２…上部支持面、Ｓ２１…基台面、Ｓ２２…下部支持面、Ｓ３１…下面、Ｓ３２…上面。
【図１】
0006755648.tif 000002
【図２】
0006755648.tif 000003
【図３】
0006755648.tif 000004
【図４】
0006755648.tif 000005